(57)【要約】【課題】パチンコ機の島のパチンコ玉循環機構を流用できる回胴式遊技機を提供する。【解決手段】回胴式遊技機１０は、木枠に対して前扉式に開閉できる本体パネル１１に回転式ドラム（複数列のリール１２ａ，１２ｂ，１２ｃ）を回転可能に収容し、本体パネル１１の裏面に各種回路基板１９を取り付け、回路基板１９等のメンテナンス作業を簡単に行なうとともに、本体パネル１１の裏面上部にパチンコ機の島のパチンコ玉供給タンクからのパチンコ玉を受けるホッパー２０と、ホッパー２０の下流端にコンパクト化を実現するとともに、パチンコ玉の高速度での計数処理を可能にしたパチンコ玉払出装置３０を設けることにより、パチンコ機の島への回胴式遊技機１０の据え付けを可能にした。【選択図】図３
2006116029.tif 000002
【特許請求の範囲】
【請求項１】
遊技機の本体パネルに複数列の回転式リールが回転可能に収容され、上皿に貯留したパチンコ玉を所定個数遊技機内に投入した後、各リールを回転させ、回転する各リールを停止ボタンを順次操作して停止させ、停止時における所定の図柄配列で賞球の払い出しが行なわれる回胴式遊技機であって、
前記本体パネルの裏面上部にパチンコ玉の供給を受けるホッパーが組み付けられ、このホッパーの下流端側に、パチンコ玉の整列機能を備えたパチンコ玉払出装置が設けられていることにより、パチンコ機のパチンコ玉循環供給機構からのパチンコ玉の供給及びパチンコ玉の処理が可能になるとともに、本体パネルを前扉構造として木枠に開閉可能に取り付けることを可能にしたことを特徴とする回胴式遊技機。
【請求項２】
前記パチンコ玉払出装置の上部側には、パチンコ玉を貯留するヘッドが設けられ、該ヘッドは、ホッパーの下流端に位置し、ホッパーと一体化され、ホッパー付きパチンコ玉払出ユニットを構成していることを特徴とする請求項１に記載の回胴式遊技機。
【請求項３】
前記パチンコ玉払出装置は、モーターにより回転駆動され、パチンコ玉を強制的に取り込んで環状に整列させて収容するディスクと、ディスクの回転に追随して回転し、ディスクに収容されたパチンコ玉を順次受け取るサブディスクと、サブディスクの回転に連れてパチンコ玉をパチンコ玉払出口側に高速で送り出すサブディスク上の複数の送り出しピンと、送り出しピンとの協働作用により、パチンコ玉をパチンコ玉払出口から弾発的に払い出し、その際、パチンコ玉の計数を行なうアクチュエーターとを備えていることを特徴とする請求項１又は２に記載の回胴式遊技機。
【請求項４】
前記パチンコ玉払出装置におけるアクチュエーターは、揺動式レバーの一端にカウントローラーが取り付けられ、このカウントローラーは、レバーの他端に配設されたバネ部材により、パチンコ玉払出口に臨むようにバネ付勢され、パチンコ玉の通過を阻止するとともに、パチンコ玉の払出時には、バネ付勢されたカウントローラーが後退して、高速で送り出されるパチンコ玉を弾発的に払い出し、その際、カウントローラーの後退動作と連動して揺動するレバーの動作をセンサが検知して、パチンコ玉の払出個数が高速度で計数されることを特徴とする請求項３に記載の回胴式遊技機。
【請求項５】
前記パチンコ玉払出装置は、モーターの回転数に対応してディスクが所定の回転数回転し、モーターの回転数を調整することにより、払い出されるパチンコ玉の払出個数を制御できることを特徴とする請求項１乃至４のいずれかに記載の回胴式遊技機。
【発明の詳細な説明】
【技術分野】
【０００１】
この発明は、パチンコ玉を使用して遊技する回胴式遊技機に係り、特に、各種基板のメンテナンス作業やゲーム内容の設定変更等が容易に行なえるとともに、パチンコ機の島に簡単に据え付けることができる回胴式遊技機に関する。
【背景技術】
【０００２】
現在、ほとんどのホールでは、パチンコ機とスロット機の双方が設置されており、ＣＲ機、現金機、羽根物等のパチンコ機は、パチンコ玉を使用して遊技を行ない、スロット機はメダルを使用して遊技を行なっているのが実情である。
【０００３】
ところで、最近、パチンコ、パチスロ業界において、法規や内規の改正等により、既存の遊技機のもつゲーム性への規制が緩和され、新たなゲーム性をもつ遊技機の開発が盛んに行なわれている。その一環として、パチンコ玉を使用して遊技を行なうスロット機が注目されている。
【０００４】
このパチンコ玉遊技タイプのスロット機の長所としては、遊技者サイドにおいては、パチンコ機からスロット機に移る場合、従来ではパチンコ玉を一旦清算し、新たにメダルを購入する必要があり、逆にスロット機からパチンコ機に移る場合についても同様の手間がかかり、パチンコ機において台移動自由の遊技場が多いことから、パチンコ機及びスロット機において持ち玉を共有できるという有利さがある。一方、ホール側においても、パチンコ機、スロット機双方において、パチンコ玉だけの取り扱いで済むため、管理が容易であるとともに、パチンコ玉（メダル）の洗浄・乾燥装置や循環供給装置等の設備費用を低減できるという利点がある。
【０００５】
ここで、パチンコ玉遊技タイプのスロット機の構造としては、固定式のボックス内に回転式ドラム、各種回路基板等を収容する従前のスロット機タイプか、あるいは前方に開閉可能となる前扉部分に回転式ドラムを収容し、裏面側に各種回路基板等を組み付けるパチンコ機タイプのいずれかの構造が採用される。
【０００６】
そして、前者の場合、据え付けはスロット機の島か、あるいは専用の島であり、新たなパチンコ玉供給機構が必要となる。それに対して、後者の場合、据え付けはパチンコ機の島であり、パチンコ機用のパチンコ玉供給機構を流用できるとともに、前扉を開放操作するだけの簡単な操作で回路基板等のメンテナンス作業が行なえるという利点があることから、後者を採用するのが理想的である。
【０００７】
また、いずれの構造を採用しても、パチンコ玉供給機構側からのパチンコ玉を受け取り処理するパチンコ玉処理機構が必要となる。パチンコ玉処理機構の一例を図１０を基に説明する。図面において、パチンコ機１の裏面側上部にホッパー２が設けられており、パチンコ玉供給機構側から供給されるパチンコ玉をホッパー２に貯留する。そして、貯留したパチンコ玉をパチンコ玉払出装置３で所定個数計数して払い出す際、パチンコ玉を計数するためにパチンコ玉を整列させるパチンコ玉整列機構４が付設されている。上述したパチンコ玉処理機構の従来例としては、特許文献１に詳細に記載されている。
【特許文献１】特開２０００−３００７７８号公報（図２）
【発明の開示】
【発明が解決しようとする課題】
【０００８】
しかしながら、既存のパチンコ玉処理機構では、ホッパー２に貯留したパチンコ玉を計数処理する関係で、レール等のパチンコ玉整列機構４を使用してパチンコ玉を整列させる必要があり、スペースを多く必要とするとともに、所定個数のパチンコ玉を整列させた状態で貯留した後払い出すため、パチンコ玉の計数払出能力に限界があった。従って、パチンコ玉遊技タイプのスロット機において、開閉式の前扉に大型の回転式ドラムを収容し、前扉の裏面側に各種回路基板を配置するというパチンコ機形態の構造を採用しようとしても、既存のパチンコ玉払出装置等のパチンコ玉処理機構を単純に転用することができないのが実情であり、コンパクトでかつ短時間に多量のパチンコ玉を計数処理できるパチンコ玉払出装置の開発が望まれていた。
【０００９】
この発明は、このような事情に鑑みてなされたもので、その目的とするところは、パチンコ玉を使用するスロット機（以下本発明では回胴式遊技機という）であって、パチンコ機の島への据え付けを簡単に行なうことができ、しかも各種基板のメンテナンス作業についても簡単に行なえ、かつ法規や内規を遵守した回胴式遊技機を提供することにある。
【課題を解決するための手段】
【００１０】
上記目的を達成するために、本発明は、遊技機の本体パネルに複数列の回転式リールが回転可能に収容され、上皿に貯留したパチンコ玉を所定個数遊技機内に投入した後、各リールを回転させ、回転する各リールを停止ボタンを順次操作して停止させ、停止時における所定の図柄配列で賞球の払い出しが行なわれる回胴式遊技機であって、前記本体パネルの裏面上部にパチンコ玉の供給を受けるホッパーが組み付けられ、このホッパーの下流端側に、パチンコ玉の整列機能を備えたパチンコ玉払出装置が設けられていることにより、パチンコ機のパチンコ玉循環供給機構からのパチンコ玉の供給及びパチンコ玉の処理が可能になるとともに、本体パネルを前扉構造として木枠に開閉可能に取り付けることを可能にしたことを特徴とする。
【００１１】
そして、上記構成によれば、ホッパーの下流端にパチンコ玉整列機能を有するパチンコ玉払出装置を設けることで、従来、多大なスペースを必要としたパチンコ玉整列機構を廃止することができ、パチンコ玉払出装置のコンパクト化を図ることができる。よって、遊技機の本体パネルに複数列のリールを組み込むとともに、本体パネルの裏面に各種回路基板を配置した後の少ないスペースに上記パチンコ玉払出装置を適用することができる。従って、パチンコ機のパチンコ玉循環供給機構からのパチンコ玉の供給及びパチンコ玉の処理が可能となり、かつ木枠に対して本体パネルを前扉構造として開閉可能に取り付ければ、パチンコ機の島への据え付けが可能となる。
【００１２】
次いで、本発明の好ましい実施の形態においては、前記パチンコ玉払出装置の上部側には、パチンコ玉を貯留するヘッドが設けられ、該ヘッドは、ホッパーの下流端に位置し、ホッパーと一体化され、ホッパー付きパチンコ玉払出ユニットを構成していることを特徴とする。
【００１３】
そして、この実施の形態によれば、ホッパーの下流端にパチンコ玉払出装置を一体化するという構成であるため、ホッパー付きパチンコ玉払出装置を遊技機の本体パネル裏面所定位置に取り付ければ良いことから、取付作業を簡素化できる。
【００１４】
次いで、本発明の更に好ましい実施の形態においては、前記パチンコ玉払出装置は、モーターにより回転駆動され、パチンコ玉を強制的に取り込んで環状に整列させて収容するディスクと、ディスクの回転に追随して回転し、ディスクに収容されたパチンコ玉を順次受け取るサブディスクと、サブディスクの回転に連れてパチンコ玉をパチンコ玉払出口側に高速で送り出すサブディスク上の複数の送り出しピンと、送り出しピンとの協働作用により、パチンコ玉をパチンコ玉払出口から弾発的に払い出し、その際、パチンコ玉の計数を行なうアクチュエーターとを備えていることを特徴とする。
【００１５】
そして、この好ましい実施の形態によれば、パチンコ玉払出装置は、回転するディスク上に強制的に取り込まれるパチンコ玉は、環状に整列されて収容され、順次サブディスク側に送られ、サブディスクの送り出しピンにより、パチンコ玉払出口まで高速で送り出され、その後バネ圧を加えて弾発的に払い出されるため、従来のパチンコ玉の自然流下方式で計数処理することに比べ、パチンコ玉の計数効率を高めることができ、時間あたりの払出個数の上限、下限が規正される法規や内規等に対しても有効に対応できる。
【００１６】
次いで、本発明の更に好ましい実施の形態においては、前記パチンコ玉払出装置におけるアクチュエーターは、揺動式レバーの一端にカウントローラーが取り付けられ、このカウントローラーは、レバーの他端に配設されたバネ部材により、パチンコ玉払出口に臨むようにバネ付勢され、パチンコ玉の通過を阻止するとともに、パチンコ玉の払出時には、バネ付勢されたカウントローラーが後退して、高速で送り出されるパチンコ玉を弾発的に払い出し、その際、カウントローラーの後退動作と連動して揺動するレバーの動作をセンサが検知して、パチンコ玉の払出個数が高速度で計数されることを特徴とする。
【００１７】
そして、この好ましい実施の形態によれば、サブディスクの送り出しピンとアクチュエーターにより、高速で、かつ弾発的に払い出されるパチンコ玉は、パチンコ玉の払出時、払出口に臨んでいるカウントローラーを外方に押しやり、この時、カウントローラーと連動するレバーの動作をセンサにより検知することでパチンコ玉の計数が行なわれるため、高速で、かつ精度の良いパチンコ玉の計数処理が可能となる。
【００１８】
更に、本発明の好ましい実施の形態においては、前記パチンコ玉払出装置は、モーターの回転数に対応してディスクが回転し、モーターの回転数を調整することにより、払い出されるパチンコ玉の払出個数を制御できることを特徴とする。
【００１９】
そして、この実施の形態によれば、モーターの回転数を管理することで、必要個数のパチンコ玉を正確に払い出すことができる。
【発明の効果】
【００２０】
以上説明した通り、本発明に係る回胴式遊技機によれば、遊技機の本体パネル裏面上部に島のパチンコ玉の供給を受けるホッパーと、ホッパーの下流端にパチンコ玉整列機能を有するパチンコ玉払出装置を設け、このパチンコ玉払出装置は、回転するディスク上にパチンコ玉を強制的に取り込んで、環状に整列させて収容したパチンコ玉を順次下側のサブディスク上に送り込み、ディスクの回転動作に追随して回転するサブディスク上で送り出しピンによりパチンコ玉払出口まで高速で送り出し、パチンコ玉が弾発的に払い出される際に計数処理を行なうという構成であるため、パチンコ玉払出装置のコンパクト化及び計数払出効率を高めることができる。従って、狭いスペースに適用できるとともに、回胴式遊技機のゲーム性にも対応できるパチンコ玉払出装置を提供でき、このパチンコ玉払出装置を本体パネルの裏面側に取り付ければ、パチンコ機の島に回胴式遊技機を簡単に転用できるという効果を有する。
【００２１】
更に、パチンコ機の島の固定式の木枠に対して開閉可能な前扉構造として本体パネルを取り付けるという構成であるため、各種基板等のメンテナンスやゲーム内容の設定変更等の作業については、遊技機の本体パネルを開放操作するだけで簡単に行なうことができるという効果を有する。
【発明を実施するための最良の形態】
【００２２】
以下、本発明に係る回胴式遊技機の好適な実施の一形態を、添付図面を参照しながら詳細に説明する。
【００２３】
図１は本発明に係る回胴式遊技機の正面図、図２は同回胴式遊技機の裏面図を示す。図面において、回胴式遊技機１０は、パチンコ機の島の木枠の前側に開放可能となる前扉部分として取り付けられる。この回胴式遊技機１０は、本体パネル１１に回転式ドラム（中央と左右の３列のリール１２ａ，１２ｂ，１２ｃ）が回転可能に収容されており、この本体パネル１１に対して、前面側上部を覆う上部パネル１３が前方向に開閉可能に取り付けられ、この上部パネル１３には、リール１２ａ，１２ｂ，１２ｃを遊技機１０の前面側に臨ませるための窓部１３ａが中央に開設されており、その周辺には各種表示部１３ｂが設けられている。
【００２４】
また、この上部パネル１３の下方には、本体パネル１１の表面側に上皿ユニット１４、その下方に下皿１５が備え付けられている。更に上皿ユニット１４には、ゲーム内容を選択できるＢＥＴボタン（１ＢＥＴボタン１６ａ、２ＢＥＴボタン１６ｂ、ＭＡＸＢＥＴボタン１６ｃ）、及びスタートボタン１６ｄが設けられ、それぞれ対応する表示部が設定されている。そして、上皿ユニット１４の表面中央には、左右及び中央の３列のリール１２ａ，１２ｂ，１２ｃを個々に停止させるための停止ボタン１７ａ，１７ｂ，１７ｃが設けられている。
【００２５】
次いで、この回胴式遊技機１０の遊技内容について、簡単に説明すると、上皿ユニット１４のトレイ内にパチンコ玉を貯留した後、ゲーム内容を選択するＢＥＴボタン１６ａ，１６ｂ，１６ｃのいずれかをボタン操作すれば、投入装置（図２中符号１６ｅで示す）が駆動されて、ＢＥＴ数に応じたパチンコ玉を計数処理し、上皿ユニット１４のトレイ内のパチンコ玉を規定個数取り込む。次いで、スタートボタン１６ｄを押圧すれば、３列のリール１２ａ，１２ｂ，１２ｃが順次回転する。そして、遊技者は任意のタイミングで停止ボタン１７ａ，１７ｂ，１７ｃを操作して、各リール１２ａ，１２ｂ，１２ｃを停止させて、停止した図柄配列が特定の図柄配列に一致すれば賞球が行なわれることになる。
【００２６】
ところで、本発明は、図２の回胴式遊技機１０の裏面図に示されるように、賞球時におけるパチンコ玉の払い出しを行なうパチンコ玉払出装置のコンパクト化を実現するとともに、高速度でのパチンコ玉の計数処理を可能にして、パチンコ玉の払出効率を高めることにより、この回胴式遊技機１０をパチンコ機の島へ転用することを可能にしたことが特徴である。
【００２７】
図２において、本体パネル１１の裏面側のほぼ中央にバックカバー１８が取り付けられている。このバックカバー１８は、３列のリール１２ａ，１２ｂ，１２ｃの背面側を保護しており、その他の本体パネル１１の裏面側スペースは主回路基板１９ａ、サブ回路基板１９ｂ、ブレーキ基板１９ｃ、中継基板１９ｄ、外部信号基板１９ｅ等の各種基板が取り付けられるとともに、本体パネル１１の裏面上部側には、パチンコ玉を貯留するホッパー２０とホッパー２０の下流端に上記ホッパー２０と一体化されたパチンコ玉払出装置３０が設けられている。
【００２８】
図３は、ホッパー２０とパチンコ玉払出装置３０をユニット化した外観図、図４はホッパー２０とパチンコ玉払出装置３０の分解斜視図である。まず、パチンコ機の島のパチンコ玉貯留タンク（図示せず）から循環供給されるパチンコ玉を受けるホッパー２０は、パチンコ機の幅方向に長尺な樹脂製ケース体からなり、底面２０ａは下流に向けて下り傾斜となり、下流には、パチンコ玉払出装置３０のパチンコ玉貯留部が設けられている。具体的には、円筒状のヘッド２１がホッパー２０の下流端に一体に設けられ、このヘッド２１の上側には、ヘッド蓋２２、下側にはヘッドベース２３が取り付けられている。
【００２９】
尚、ヘッド２１には、ホッパー２０からのパチンコ玉をヘッドベース２３内に貯留するためのパチンコ玉通過用開口が開設されている。また、ヘッドベース２３の外周はヘッドロック２４によりクランプされている。更に、ヘッドベース２３がパチンコ玉払出装置３０の本体ベース３１並びにベース板３２と一体化されていることで、ホッパー２０とパチンコ玉払出装置３０とがユニット化されているため、本体パネル１１側への取り付けが簡単に行なえる。
【００３０】
上記払出装置３０は、本体ベース３１と、この本体ベース３１の上側にビス止めされるベース板３２との間にサブディスク３３と中間ギア３４の大径ギア３４ａが収容されている。そして、中間ギア３４の大径ギア３４ａは、ベース板３２に取り付けられるモーター３５のピニオン３５ａと噛合しており、中間ギア３４の小径ギア３４ｂは、ディスク３６の外周歯部３６ａと噛合している。上記サブディスク３３及びディスク３６は、同軸上で独立して回転可能に支持されているが、後述するように、サブディスク３３は、ディスク３６の回転に追随して同一回転方向に回転する。尚、図中符号３５ｂはモーター３５のハーネスを示す。
【００３１】
更に、サブディスク３３は、上下側にそれぞれホルダ３３ａ，３３ｂを備え、サブディスク３３と上側ホルダ３３ｂとの間に軸受３３ｃが介装されている。同様に、ディスク３６の下面に軸受機能を備えたディスク軸３６ｂ、皿ワッシャー３６ｃ、軸受押さえ３６ｄが介装され、ボタンキャップ３７を本体ベース３１の下面側から捻じ込むことにより、サブディスク３３、ディスク３６が軸受３３ｃ、ディスク軸３６ｂを介して独立して回転自在に本体ベース３１に支持されている。
【００３２】
更に詳しくは、ディスク３６の上面中央は、なだらかな椀状部３６ｅに成形され、かつ放射状のガイド凸条が設けられているため、ディスク３６の回転時、その周囲の複数の収容孔３６ｆにパチンコ玉を環状に整列収容するようになっている。また、ディスク３６の収容孔３６ｆ内のパチンコ玉をサブディスク３３側に送り込むために、ベース板３２のガイド溝３２ａは途中から幅広ガイド溝３２ｂとして形成されており、この幅広ガイド溝３２ｂを通じてパチンコ玉がディスク３６の収容孔３６ｆからサブディスク３３側に落とされ、サブディスク３３の送り出しピン３３ｄがパチンコ玉を送り出す機能をもつ。
【００３３】
上記ディスク３６の回転に追随して、ディスク３６の収容孔３６ｆ内にサブディスク３３の送り出しピン３３ｄの先端が入り込み、ディスク３６の回転力を送り出しピン３３ｄを通じてサブディスク３３の回転力に伝達するとともに、送り出しピン３３ｄがサブディスク３３上に収容されるパチンコ玉を払出口側に高速で送り出すことになる。
【００３４】
更に詳しくは、ベース板３２の上面に位置するディスク３６の回転がサブディスク３３に送り出しピン３３ｄを介して伝わるためには、サブディスク３３はディスク３６と平行ではなく、やや傾斜した状態に本体ベース３１内に収容されている。よって、送り出しピン３３ｄは、ガイド溝３２ａ、幅広ガイド溝３２ｂの端末と干渉しないように配慮されている。
【００３５】
そして、本発明に使用するパチンコ玉払出装置３０では、高速で処理されるパチンコ玉を精度良く計数できるように、アクチュエーター３８が設けられている。このアクチュエーター３８は、レバー３８ａが本体ベース３１に軸受３８ｂを介して揺動可能に取り付けられ、このレバー３８ａの一方端側にカウントローラー３８ｃが取り付けられ、他方端側にコイルバネ３８ｄが設けられている。この時、カウントローラー３８ｃがパチンコ玉の通路幅を狭める方向にコイルバネ３８ｄによりバネ付勢されている。尚、符号３８ｅはアクチュエーターカバーを示す。
【００３６】
そして、パチンコ玉を払い出す際には、送り出しピン３３ｄにより押圧されるパチンコ玉がカウントローラー３８ｃを押し込み、コイルバネ３８ｄのバネ圧に抗してカウントローラー３８ｃが後退することでパチンコ玉が弾発的に払い出される。また、カウントローラー３８ｃの後退時、レバー３８ａが揺動し、レバー３８ａの揺動動作を検知するセンサ３９が本体ベース３１に取り付けられている。従って、パチンコ玉を高速で払い出す際、センサ３９により計数され、高速度での計数処理が可能となる。加えて、パチンコ玉の精度の良い払い出しを行なうために、払出口には、玉ナイフ４０、ワイパー４１が設けられている。尚、図中符号４２はワイパー押さえであり、符号４３は本体ベース３１のパチンコ玉払出口に取り付けられる出口ガイド板を示す。
【００３７】
次いで、図５乃至図７に基づいて、払出装置３０内でのパチンコ玉Ｐの流れについて説明する。図５では図示しないホッパー２０に供給されるパチンコ玉Ｐは、傾斜状の底面２０ａに沿って下流側に流れ、パチンコ玉払出装置３０のパチンコ玉貯留部であるヘッド２１、ヘッドベース２３内のディスク３６上に収容される。収容された一部のパチンコ玉Ｐは中央の椀状部３６ｅからその周囲の収容孔３６ｆ内に強制的に環状に整列収容される。そして、その一部はベース板３２の幅広ガイド溝３２ｂを通じてサブディスク３３上に送り出され、隣接する送り出しピン３３ｄ間に収容されることになる。更に、パチンコ玉Ｐの払い出しが必要な時には、払出個数に応じてモーター３５が所定の回転数だけ回転する。モーター３５の回転は、ピニオン３５ａを介して中間ギア３４の大径ギア３４ａに伝達され、この中間ギア３４の大径ギア３４ａと同軸にある小径ギア３４ｂがディスク３６をモーター３５の回転数に応じて回転させる。
【００３８】
そして、ディスク３６の回転により、サブディスク３３の送り出しピン３３ｄが押圧され、サブディスク３３が回転し、送り出しピン３３ｄがパチンコ玉Ｐを図中反時計廻り方向に回転させる。図６はパチンコ玉Ｐの払出前の状態を示しており、この時、カウントローラー３８ｃによりパチンコ玉Ｐが不用意に払い出されることがない。尚、図６，図７において、アクチュエーター３８のレバー３８ａを斜線で示す。
【００３９】
図７はパチンコ玉Ｐが払い出される状態を示しており、玉ナイフ４０と送り出しピン３３ｄによりパチンコ玉Ｐが押圧され、アクチュエーター３８においてコイルバネ３８ｄのバネ圧に抗してカウントローラー３８ｃが後退することで通路幅が広くなり、弾発的にパチンコ玉Ｐがはじき出されることになる。そして、この時のアクチュエーター３８のレバー３８ａの揺動動作をセンサ３９が検知して、払出毎のパチンコ玉Ｐの計数を行なう。
【００４０】
そして、このパチンコ玉払出装置３０では、回転しているディスク３６上には、パチンコ玉が常に収容され、パチンコ玉が収容孔３６ｆ内に強制的に取り込まれ、収容孔３６ｆからパチンコ玉がサブディスク３３側に移行しても、新たなパチンコ玉が収容孔３６ｆ内に貯留されるため、ディスク３６が回転している間は連続して多量のパチンコ玉を計数処理して高速度で払い出すことができる。
【００４１】
従って、本発明に係るパチンコ玉払出装置３０は、ディスク３６、サブディスク３３を始めとしたパチンコ玉を環状に整列させる整列機能を備えるとともに、モーター３５の回転により、ディスク３６、サブディスク３３を回転させて、送り出しピン３３ｄとアクチュエーター３８との協働作用によりパチンコ玉を高速で計数処理できるため、単位時間に多くのパチンコ玉を払い出すことができる。従って、パチンコ玉の払出効率を高めることができるとともに、スペース的に不利な従来のパチンコ玉整列機構を廃止でき、コンパクトな構成であるため、スペース性能にも優れる。
【００４２】
次いで、図８でパチンコ玉払出時のパチンコ玉の流れの概要について簡単に説明する。まず、遊技中の賞球時、ホッパー２０に貯留されたパチンコ玉は、パチンコ玉払出装置３０で高速計数処理され、パチンコ玉通路５０を通じて所定個数のパチンコ玉が下流側に送られる。そして、パチンコ玉通路５０は、分岐部５１において回収側玉通路５２と払出側玉通路５３とに分岐しており、レバー５４の開閉により、回収側と払出側に振り分けられる。また、玉有センサー５５が払出装置３０に設けられているとともに、レバー５４の開閉操作を制御する回収ソレノイド５６、及び下皿１５内のパチンコ玉のオーバーフローを検知するオーバーフローセンサー５７が適切位置に設けられている。
【００４３】
次いで、パチンコ玉払出装置３０のフローチャートについて図９を基に説明する。まず、払出起動（ステップ１００）が生じた場合、払出装置３０内にパチンコ玉があるかどうか（ステップ１１０）が玉有センサー５５で判別され、払出装置３０内にパチンコ玉がある場合には、モードが回収モードか払出モードかのいずれかを判別する（ステップ１２０）。払出モードの場合には、回収ソレノイド５６のＯＮ・ＯＦＦ状態を判別し（ステップ１３０）、払出側玉通路５３が開放している場合には、オーバーフローセンサー５７がＯＮかＯＦＦかを判別する（ステップ１４０）。オーバーフローしている場合には、払出装置３０のモーター３５の出力をＯＦＦ（ステップ１５０）させる。またオーバーフローセンサー５７がＯＦＦ、すなわちパチンコ玉がオーバーフローしていない場合には、払出装置３０のモーター３５を出力する（ステップ１６０）。
【００４４】
そして、規定個数の払い出しが終了すれば（ステップ１７０）、払出装置３０のモーター３５を停止させる（ステップ１８０）。そして、回収ソレノイド５６を回収側へ操作する（ステップ１９０）。よって、払出装置３０からのパチンコ玉がパチンコ機の島のパチンコ玉循環機構側に回収される。
【００４５】
一方、モードが回収モードである場合には、回収ソレノイド５６のＯＮ・ＯＦＦ状態を判別し（ステップ２００）、回収ソレノイド５６が回収側である場合、払出装置３０のモーター３５をＯＮ（ステップ２１０）とし、払出装置３０内にパチンコ玉があるかどうかを判別し（ステップ２２０）、パチンコ玉がある場合にはタイマーセットを行なう（ステップ２３０）。玉がない場合にはタイマーがＯＦＦ状態になっているかどうかを判別する（ステップ２４０）。タイマーがＯＮの状態では、（ステップ２２０）の前工程に戻り、タイマーがＯＦＦの場合には、（ステップ１８０）の前工程に戻る操作を行なう。
【００４６】
本発明に係る回胴式遊技機に使用するパチンコ玉払出装置のフローチャートは、実施例で説明したフロートチャートに限定されることなく、センサーやシステム変更に応じて適宜変更しても良い。
【産業上の利用可能性】
【００４７】
本発明によれば、パチンコ機の島への据え付けを簡単に行なうことができ、しかも各種基板のメンテナンス作業についても簡単に行なえ、かつ法規や内規を遵守した回胴式遊技機を提供することができる。
【図面の簡単な説明】
【００４８】
【図１】本発明に係る回胴式遊技機の一実施例を示す正面図である。
【図２】図１に示す回胴式遊技機の裏面図である。
【図３】図１に示す回胴式遊技機に適用されるホッパーとパチンコ玉払出装置を組み付けたユニットを示す外観図である。
【図４】図１に示す回胴式遊技機に適用されるホッパーとパチンコ玉払出装置の構成を示す分解斜視図である。
【図５】本発明に係る回胴式遊技機に使用するパチンコ玉払出装置の本体ベースを省略した構成説明図である。
【図６】本発明に係る回胴式遊技機に使用するパチンコ玉払出装置の動作説明図である。
【図７】本発明に係る回胴式遊技機に使用するパチンコ玉払出装置の動作説明図である。
【図８】本発明に係る回胴式遊技機のパチンコ玉払出装置から払い出されたパチンコ玉の流れを示す説明図である。
【図９】本発明に係る回胴式遊技機に使用するパチンコ玉払出装置のフローチャートである。
【図１０】ホッパー及びパチンコ玉払出装置を備えた従来のパチンコ機を示す裏面図である。
【符号の説明】
【００４９】
１０  回胴式遊技機
１１  本体パネル
１２ａ，１２ｂ，１２ｃ  リール
１４  上皿ユニット
１５  下皿
１６ａ，１６ｂ，１６ｃ  ＢＥＴボタン
１６ｄ  スタートボタン
１６ｅ  投入装置
１７ａ，１７ｂ，１７ｃ  停止ボタン
２０  ホッパー
２１  ヘッド
２３  ヘッドベース
３０  パチンコ玉払出装置
３１  本体ベース
３２  ベース板
３２ａ  ガイド溝
３２ｂ  幅広ガイド溝
３３  サブディスク
３３ｃ  軸受
３３ｄ  送り出しピン
３４  中間ギア
３４ａ  大径ギア
３４ｂ  小径ギア
３５  モーター
３５ａ  ピニオン
３６  ディスク
３６ａ  外周歯部
３６ｂ  ディスク軸
３６ｆ  パチンコ玉収容孔
３８  アクチュエーター
３８ａ  レバー
３８ｃ  カウントローラー
３８ｄ  コイルバネ
３９  センサ
４０  玉ナイフ
４１  ワイパー
４３  パチンコ玉出口ガイド板
５０  パチンコ玉通路
５４  レバー
５５  玉有りセンサー
５６  回収ソレノイド
５７  オーバーフローセンサー
Ｐ  パチンコ玉
【図１】
2006116029.tif 000003
【図２】
2006116029.tif 000004
【図３】
2006116029.tif 000005
【図４】
2006116029.tif 000006
【図５】
2006116029.tif 000007
【図６】
2006116029.tif 000008
【図７】
2006116029.tif 000009
【図８】
2006116029.tif 000010
【図９】
2006116029.tif 000011
【図１０】
2006116029.tif 000012